(57)【要約】【課題】原稿読取部で読み取りが完了した原稿を使用者が装置本体に移送する作業を省くことができる画像処理システムを提供することである。【解決手段】実施形態の画像処理システムは、原稿搬送部と、原稿読取部と、装置本体と、搬送機構と、を持つ。原稿搬送部は、原稿を送る。原稿読取部は、前記原稿搬送部によって送られる前記原稿を読み取る。装置本体は、前記原稿読取部を支持する。搬送機構は、前記原稿読取部で読み取りが完了した前記原稿を前記装置本体へ搬送する。【選択図】図１
2020024287.tif 000002
【特許請求の範囲】
【請求項１】
原稿を送る原稿搬送部と、
前記原稿搬送部によって送られる前記原稿を読み取る原稿読取部と、
前記原稿読取部を支持する装置本体と、
前記原稿読取部で読み取りが完了した前記原稿を前記装置本体へ搬送する搬送機構と、を備える画像処理システム。
【請求項２】
前記原稿搬送部は、前記原稿読取部で読み取りが完了した前記原稿を排紙部へ排出する排出路と、前記原稿読取部で読み取りが完了した前記原稿を前記装置本体へ搬送する搬送路と、を切り替える第１切替部を備える
請求項１に記載の画像処理システム。
【請求項３】
前記装置本体に設けられ、前記原稿の表裏を反転する原稿反転部を更に備え、
前記原稿反転部は、前記原稿読取部で読み取りが完了した前記原稿をそのまま前記装置本体へ搬送する搬送路と、前記原稿読取部で読み取りが完了した前記原稿を表裏反転して前記装置本体へ搬送する反転路と、を切り替える第２切替部を備える
請求項１または２に記載の画像処理システム。
【請求項４】
前記装置本体から搬送される対象物に後処理を行う後処理部を更に備え、
前記搬送機構は、前記原稿読取部で読み取りが完了した前記原稿を前記後処理部へ搬送する後処理用搬送部を備える
請求項１から３のいずれか一項に記載の画像処理システム。
【請求項５】
前記装置本体は、画像を定着する定着部を備え、
前記後処理用搬送部は、前記定着部を通らない経路に沿って前記原稿読取部で読み取りが完了した前記原稿を前記後処理部へ搬送する
請求項４に記載の画像処理システム。
【発明の詳細な説明】
【技術分野】
【０００１】
本発明の実施形態は、画像処理システムに関する。
【背景技術】
【０００２】
従来、Ｍｕｌｔｉ  Ｆｕｎｃｔｉｏｎ  Ｐｅｒｉｐｈｅｒａｌ（以下「ＭＦＰ」という。）がある。例えば、ＭＦＰは、原稿搬送部、原稿読取部、装置本体および後処理部を備える。原稿搬送部は、原稿を送る。原稿読取部は、原稿搬送部によって送られる原稿を読み取る。装置本体は、原稿読取部を支持する。例えば、装置本体は、加熱部を有する画像処理装置（画像形成装置）である。後処理部は、装置本体から搬送されるシートに綴じ処理などの後処理を行う。ＭＦＰは、原稿読取部で読み取りが完了した原稿を、排紙部へ排出する。そのため、原稿読取部で読み取りが完了した原稿に対しては、直後に後処理を行うことができない。例えば、複数枚の原稿をステイプラ（例えば金属針）で綴じ処理したものをスキャンまたはコピーする場合、綴じ処理したものからステイプラを外す必要がある。そして、ステイプラを外した複数枚の原稿をスキャン又はコピーした後、使用者が排紙部から原稿を取り出し、綴じ処理をする作業をして原稿を元の状態に戻す必要がある。
【先行技術文献】
【特許文献】
【０００３】
【特許文献１】特開２００３−１６７３９７号公報
【発明の概要】
【発明が解決しようとする課題】
【０００４】
本発明が解決しようとする課題は、原稿読取部で読み取りが完了した原稿を使用者が装置本体に移送する作業を省くことができる画像処理システムを提供することである。
【課題を解決するための手段】
【０００５】
実施形態の画像処理システムは、原稿搬送部と、原稿読取部と、装置本体と、搬送機構と、を持つ。原稿搬送部は、原稿を送る。原稿読取部は、前記原稿搬送部によって送られる前記原稿を読み取る。装置本体は、前記原稿読取部を支持する。搬送機構は、前記原稿読取部で読み取りが完了した前記原稿を前記装置本体へ搬送する。
【図面の簡単な説明】
【０００６】
【図１】第１実施形態の画像処理システムの一例を示す正面図。
【図２】第１実施形態の画像処理システムの一例を示すブロック図。
【図３】第１実施形態の原稿排出モード時の原稿の排出路の説明図。
【図４】第１実施形態の後処理モード時の原稿の搬送路の説明図。
【図５】比較例の画像処理システムの一例を示す正面図。
【図６】第２実施形態の画像処理システムを示す正面図。
【図７】実施形態の第１変形例の画像処理システムを示す正面図。
【図８】実施形態の第２変形例の画像処理システムを示す正面図。
【図９】実施形態の第３変形例の画像処理システムを示す正面図。
【発明を実施するための形態】
【０００７】
以下、実施形態の画像処理システムを、図面を参照して説明する。なお、各図において、同一構成については同一の符号を付す。各図では、見易さのため、各部材の寸法および形状を誇張あるいは簡略化する。
【０００８】
図１は、第１実施形態の画像処理システム１の一例を示す正面図である。例えば、画像処理システム１は複合機（ＭＦＰ）である。図１に示すように、画像形成システム１は、画像処理装置２と、後処理装置３（後処理部）とを含む。画像処理装置２は、用紙などのシート状の媒体（以下「シート」という。）に画像を形成する。画像処理装置２は、「画像形成装置」の一例である。後処理装置３は、画像処理装置２から搬送されるシートに後処理を行う。後処理装置３は、「シート処理装置」の一例である。
【０００９】
画像処理装置２は、原稿搬送部１０、スキャナ部１５（原稿読取部）、装置本体２０、搬送機構３０、原稿反転部４０、コントロールパネル４５（表示部）および画像処理制御部５０を備える。
【００１０】
例えば、原稿搬送部１０は、自動原稿送り装置（ＡＤＦ：Ａｕｔｏ  Ｄｏｃｕｍｅｎｔ  Ｆｅｅｄｅｒ）である。原稿搬送部１０（以下「ＡＤＦ１０」という。）は、装置本体２０または排紙部１１へ原稿を送る。ＡＤＦ１０は、排出路Ｌ１と搬送路Ｌ２とを切り替える本体搬送用切替部１２（第１切替部）を備える。排出路Ｌ１は、スキャナ部１５で読み取りが完了した原稿（以下「読取完了原稿」ともいう。）を排紙部１１へ排出する経路である（図３参照）。搬送路Ｌ２は、読取完了原稿を装置本体２０へ搬送する経路である（図４参照）。
【００１１】
ＡＤＦ１０は、複数（図では４つ）の搬送ローラ対１３Ａ〜１３Ｄを備える。各搬送ローラ対１３Ａ〜１３Ｄは、互いに対向する２つの搬送ローラを備える。例えば、２つの搬送ローラは、駆動ローラおよび従動ローラである。駆動ローラは、不図示のモータで回転駆動される。従動ローラは、駆動ローラの回転に従って回転（従動回転）する。
【００１２】
スキャナ部１５は、ＡＤＦ１０の下方に配置される。スキャナ部１５は、ＡＤＦ１０によって送られる原稿を読み取る。または、スキャナ部１５は、原稿台２１に置かれた原稿を読み取る。例えば、スキャナ部１５は、イメージセンサ（不図示）を備える。イメージセンサは、原稿台２１に置かれた原稿の画像を読み取る場合、原稿台２１に沿って移動する。スキャナ部１５は、読み取った原稿の画像情報をプリンタ部２２に送る。
【００１３】
装置本体２０は、スキャナ部１５を支持する。装置本体２０の上部には、透明ガラスを含む原稿台２１が設けられる。装置本体２０は、スキャナ部１５または外部機器から送信された画像情報に基づき、トナーなどの現像剤によって出力画像（以下「トナー像」という。）を形成するプリンタ部２２を備える。プリンタ部２２は、トナー像をシートの表面上に転写する。プリンタ部２２は、シートに転写したトナー像に熱と圧力をかけて、トナー像をシートに定着させる。プリンタ部２２は、画像を定着する定着部２３（加熱部）を備える。
【００１４】
装置本体２０は、シートをプリンタ部２２に供給する給紙部２４を備える。給紙部２４は、プリンタ部２２がトナー像を形成するタイミングに合わせて、シートを１枚ずつプリンタ部２２に供給する。給紙部２４は、装置本体２０の下部に配置される。例えば、給紙部２４は、複数（図１では４つ）の給紙トレイ２５Ａ〜２５Ｄを備える。複数の給紙トレイ２５Ａ〜２５Ｄは、鉛直方向に重なって配置される。
【００１５】
装置本体２０には、給紙部２４から給紙されたシートを後処理装置３へ搬送するためのシート供給路Ｌ３が設けられる。図１において、符号２６は給紙ローラ対、符号２７はレジストローラ対、符号２８はヒートローラ、符号２９は加圧ローラをそれぞれ示す。ヒートローラ２８および加圧ローラ２９は、定着部２３を構成する。シート供給路Ｌ３は、給紙ローラ対２６、レジストローラ対２７および定着部２３により形成される。
【００１６】
搬送機構３０は、読取完了原稿を装置本体２０へ搬送する。搬送機構３０は、搬送路Ｌ２を形成する複数（図では４つ）の搬送ローラ対３１Ａ〜３１Ｄを備える。４つの搬送ローラ対３１Ａ〜３１Ｄは、第１搬送ローラ対３１Ａ、第２搬送ローラ対３１Ｂ、第３搬送ローラ対３１Ｃおよび第４搬送ローラ対３１Ｄである。各搬送ローラ対３１Ａ〜３１Ｄは、互いに対向する２つの搬送ローラを備える。例えば、２つの搬送ローラは、駆動ローラおよび従動ローラである。駆動ローラは、不図示のモータで回転駆動される。従動ローラは、駆動ローラの回転に従って回転（従動回転）する。
４つの搬送ローラ対３１Ａ〜３１Ｄは、ＡＤＦ１０から装置本体２０へ向けて、第１搬送ローラ対３１Ａ、第２搬送ローラ対３１Ｂ、第３搬送ローラ対３１Ｃ、第４搬送ローラ対３１Ｄの順に配置される。
【００１７】
搬送機構３０は、読取完了原稿を後処理装置３へ搬送する後処理用搬送部３２を備える。後処理用搬送部３２は、定着部２３を迂回して読取完了原稿を後処理部へ搬送する。後処理用搬送部３２は、定着部２３を通らない経路に沿って読取完了原稿を後処理部へ搬送する。または、後処理用搬送部３２は、プリンタ部２２から排紙されるシートを、後処理装置３へ搬送する。
【００１８】
後処理用搬送部３２は、後処理用搬送路Ｌ４を形成する複数（図では２つ）の搬送ローラ対３３Ａ，３３Ｂを備える。２つの搬送ローラ対３３Ａ，３３Ｂは、互いに水平に間隔をあけて配置される。各搬送ローラ対３３Ａ，３３Ｂは、互いに対向する２つの搬送ローラを備える。例えば、２つの搬送ローラは、駆動ローラおよび従動ローラである。駆動ローラは、不図示のモータで回転駆動される。従動ローラは、駆動ローラの回転に従って回転（従動回転）する。
【００１９】
後処理用搬送路Ｌ４は、搬送路Ｌ２およびシート供給路Ｌ３のそれぞれに連なる。原稿の搬送方向において、後処理用搬送路Ｌ４の上流端は、搬送路Ｌ２の下流端に接続される。シートの搬送方向において、後処理用搬送路Ｌ４の上流端は、シート供給路Ｌ３の下流端に接続される。
【００２０】
例えば、原稿反転部４０は、自動両面コピーユニット（ＡＤＵ：Ａｕｔｏｍａｔｉｃ  Ｄｕｐｌｅｘ  Ｃｏｐｙ  Ｕｎｉｔ）である。原稿反転部４０（以下「ＡＤＵ４０」という。）は、装置本体２０の側部に設けられる。ＡＤＵ４０は、装置本体２０において後処理装置３の設置側とは反対側に設けられる。ＡＤＵ４０は、原稿の表裏を反転する。ＡＤＵ４０は、搬送路Ｌ２と反転路Ｌ５とを切り替える原稿反転用切替部４１（第２切替部）を備える。搬送路Ｌ２は、読取完了原稿をそのまま装置本体２０へ搬送する経路である。反転路Ｌ５は、読取完了原稿を表裏反転して装置本体２０へ搬送する経路である。
【００２１】
ＡＤＵ４０は、反転路Ｌ５を形成する反転ローラ対４２を備える。反転ローラ対４２は、互いに対向する２つの反転ローラを備える。例えば、２つの反転ローラは、駆動ローラおよび従動ローラである。駆動ローラは、不図示のモータで回転駆動される。従動ローラは、駆動ローラの回転に従って回転（従動回転）する。
【００２２】
反転ローラ対４２は、第３搬送ローラ対３１Ｃの鉛直下方に配置される。反転ローラ対４２は、第４搬送ローラ対３１Ｄよりも装置本体２０から離反した位置に配置される。反転ローラ対４２は、第４搬送ローラ対３１Ｄよりも下方に配置される。反転ローラ対４２の駆動ローラは、正回転（時計回りの回転）および逆回転（反時計回りの回転）が可能である。
【００２３】
反転路Ｌ５は、搬送路Ｌ２の途中に接続される。原稿反転用切替部４１は、反転路Ｌ５と搬送路Ｌ２との接続位置Ｐ１の近傍に配置される。原稿反転用切替部４１は、第３搬送ローラ対３１Ｃから送られる原稿が、第４搬送ローラ対３１Ｄに向かうか、反転ローラ対４２に向かうか、を切り替える。原稿反転用切替部４１は、第３搬送ローラ対３１Ｃから反転ローラ対４２に向かった原稿を、表裏反転させて第４搬送ローラ対３１Ｄに向かわせる。
【００２４】
コントロールパネル４５は、装置本体２０の上部に配置される。コントロールパネル４５は、ＡＤＦ１０の側方に配置される。コントロールパネル４５は、後処理装置３の近傍に配置される。例えば、コントロールパネル４５は、タッチパネルである。コントロールパネル４５は、文字または画像の表示を行う表示部を備える。コントロールパネル４５は、使用者によって操作される操作部を備える。コントロールパネル４５では、表示部および操作部が一体化されている。
【００２５】
次に、画像処理制御部５０について説明する。
図２は、第１実施形態の画像処理システム１の一例を示すブロック図である。
画像処理制御部５０は、画像処理装置２の全体の動作を制御する。画像処理制御部５０は、ＡＤＦ１０、スキャナ部１５、装置本体２０、搬送機構３０、ＡＤＵ４０およびコントロールパネル４５を制御する。画像処理制御部５０は、ＣＰＵ、ＲＯＭ及びＲＡＭを含む制御回路で形成される。画像処理制御部５０は、「制御部」の一例である。
【００２６】
例えば、画像処理制御部５０は、原稿排出モードと後処理モードとを切り替え制御する。ここで、原稿排出モードは、読取完了原稿を排紙部１１（図１参照）へ排出するモードである。後処理モードは、読取完了原稿を後処理装置３へ搬送するモードである。
【００２７】
コントロールパネル４５は、原稿排出モードと後処理モードとを選択可能とする表示を行う。例えば、コントロールパネル４５は、原稿排出モードと後処理モードとを選択可能なモード選択部４６（操作部）としてボタンを表示する。使用者がモード選択時に「原稿排出モード」を選択してボタンに触れることによって、画像処理制御部５０は、読取完了原稿を排紙部１１へそのまま排出させる。一方、使用者がモード選択時に「後処理モード」を選択してボタンに触れることによって、画像処理制御部５０は、読取完了原稿を後処理装置３へ搬送させる。
【００２８】
例えば、コントロールパネル４５は、後処理モードの表示時、原稿の後処理の種類に関する入力を受け付ける。コントロールパネル４５は、入力された後処理の種類に関する情報を、後処理装置３に送る。
【００２９】
次に、後処理装置３について説明する。
図１に示すように、後処理装置３は、画像処理装置２に隣接して配置される。後処理装置３は、画像処理装置２から搬送される対象物に、コントロールパネル４５を通じて指定された後処理を実行する。対象物には、読取完了原稿およびシートが含まれる。例えば、後処理は、綴じ処理（ステイプル処理）またはソート処理である。後処理装置３は、待機部６０、処理部６１、排出部６２及び後処理制御部７０を備える。実施形態において、対象物は、画像処理装置２から排出部６２へと搬送される。
【００３０】
待機部６０は、画像処理装置２から搬送される対象物を一時的に滞留（バッファ）させる。例えば、待機部６０は、先行するシートの後処理が処理部６１で行われる間、後続の複数枚のシートを待機させる。待機部６０は、処理部６１の上方に配置される。待機部６０は、処理部６１が空くと、滞留させていたシートを処理部６１に向けて落下させる。
【００３１】
処理部６１は、シートに後処理を行う。例えば、処理部６１は、複数枚のシートを整合する。処理部６１は、整合した複数枚のシートに綴じ処理を行う。これにより、複数枚のシートが綴じ合わされる。処理部６１は、後処理を行ったシートを排出部６２へ排出する。
【００３２】
排出部６２は、固定トレイ６３と可動トレイ６４とを備える。固定トレイ６３は、後処理装置３の上部に設けられる。可動トレイ６４は、後処理装置３の側部に設けられる。固定トレイ６３及び可動トレイ６４には、ソート処理されたシートが排出される。
【００３３】
次に、後処理制御部７０について説明する。
図２に示すように、後処理制御部７０は、後処理装置３の全体の動作を制御する。後処理制御部７０は、待機部６０、処理部６１及び排出部６２を制御する。後処理制御部７０は、ＣＰＵ、ＲＯＭ及びＲＡＭを含む制御回路で形成される。
【００３４】
例えば、後処理制御部７０は、処理モードと非処理モード（通常モード）とを切り替え制御する。ここで、処理モードは、対象物に対し後処理を行うモードを意味する。例えば、処理モードには、ソートモードおよびステイプルモードが含まれる。非処理モードは、対象物に対し後処理をせずに対象物をそのまま搬送するモードを意味する。
【００３５】
例えば、コントロールパネル４５は、処理モードと非処理モードとを選択可能なモード選択部４６（操作部）としてボタンを表示する。例えば、コントロールパネル４５は、原稿排出モード時に、処理モードと非処理モードとを選択可能とする。使用者がモード選択時に「処理モード」を選択してボタンに触れることによって、後処理制御部７０は、シートに対し後処理を行わせる。一方、使用者がモード選択時に「非処理モード」を選択してボタンに触れることによって、後処理制御部７０は、シートに対し後処理をせずにシートをそのまま排紙させる。
【００３６】
次に、搬送路の切替制御について説明する。
画像処理制御部５０は、使用者に選択されたモードに合わせて搬送路を切り替える。ここで、反転路Ｌ５と搬送路Ｌ２との接続位置Ｐ１を基点として、搬送路Ｌ２の上流経路Ｌ２１を「第１搬送路Ｌ２１」、搬送路Ｌ２の下流経路Ｌ２２を「第２搬送路Ｌ２２」とする（図１参照）。
【００３７】
図３は、第１実施形態の原稿排出モード時の原稿の排出路の説明図である。
図３に示すように、画像処理制御部５０は、原稿排出モードの選択時、第１搬送路Ｌ２１と交差する位置に本体搬送用切替部１２を設定する。画像処理制御部５０は、原稿排出モードの選択時、本体搬送用切替部１２に排出路Ｌ１を形成させる。これにより、ＡＤＦ１０に置かれた原稿（以下「ＡＤＦ載置原稿」という。）は、排出路Ｌ１に沿って排紙部１１に排出される（図３の矢印Ｖ１参照）。ＡＤＦ載置原稿は、ＡＤＦ１０の複数の搬送ローラ対１３Ａ〜１３Ｄによって、排紙部１１に排出される。ＡＤＦ載置原稿は、スキャナ部１５で読み取られた後、排紙部１１に排出される。
【００３８】
図４は、第１実施形態の後処理モード時の原稿の搬送路の説明図である。
図４に示すように、画像処理制御部５０は、後処理モードの選択時、第１搬送路Ｌ２１を避けた位置に本体搬送用切替部１２を設定する。画像処理制御部５０は、後処理モードの選択時、本体搬送用切替部１２に搬送路Ｌ２を形成させる。これにより、ＡＤＦ載置原稿は、スキャナ部１５で読み取られた後、搬送路Ｌ２に沿ってＡＤＵ４０に向けて搬送される（図４の矢印Ｖ２参照）。後処理モードの選択時、ＡＤＦ載置原稿は、排紙部１１には向かわない。
【００３９】
画像処理制御部５０は、後処理モードの選択時、反転路Ｌ５を避けた位置に原稿反転用切替部４１を設定する。画像処理制御部５０は、後処理モードの選択時、原稿反転用切替部４１に反転路Ｌ５を形成させる。これにより、ＡＤＵ４０に搬送された原稿（読取完了原稿）は、反転路Ｌ５に進入する（図４の矢印Ｖ３参照）。画像処理制御部５０は、原稿の下流端が接続位置Ｐ１（図１参照）を通過するまで、原稿を反転路Ｌ５に進入させる。
【００４０】
画像処理制御部５０は、原稿の下流端が接続位置Ｐ１を通過した後、第１搬送路Ｌ２１と交差する位置（図４の破線部の位置）に原稿反転用切替部４１を設定する。画像処理制御部５０は、原稿の下流端が接続位置Ｐ１を通過した後、反転路Ｌ５と第２搬送路Ｌ２２とで原稿の経路を形成させる。これにより、反転路Ｌ５に進入した原稿は、表裏反転される。表裏反転された原稿は、第２搬送路Ｌ２２に進入する（図４の矢印Ｖ４参照）。
【００４１】
後処理用搬送部３２は、定着部２３を迂回して、第２搬送路Ｌ２２に進入した原稿を、後処理装置３へ向けて搬送する。具体的に、後処理用搬送部３２は、定着部２３を通らない経路（搬送路Ｌ２，Ｌ４）に沿って、第２搬送路Ｌ２２に進入した原稿を、後処理装置３へ向けて搬送する（図４の矢印Ｖ５参照）。第２搬送路Ｌ２２に進入した原稿は、シート供給路Ｌ３には向かわない。後処理装置３に搬送された原稿は、処理部６１の作用によって後処理（例えば綴じ処理）が施される。後処理が施された原稿は、排出部６２へ排出される。
【００４２】
ところで、原稿読取部と装置本体とが独立した構造（比較例）がある。図５は、比較例の画像処理システム１Ｘの一例を示す正面図である。図５において、符号２Ｘは画像処理装置、符号３Ｘは後処理装置、符号１０ＸはＡＤＦ、符号１５Ｘはスキャナ部、符号２０Ｘは装置本体をそれぞれ示す。図５に示すように、比較例の画像処理システム１Ｘは、本実施形態の搬送機構３０を有しない。
【００４３】
後処理装置３Ｘは、装置本体２０Ｘから搬送されるシートに綴じ処理などの後処理を行う（図５の矢印Ｖｘ１参照）。画像形成システム１Ｘは、読取完了原稿を、排紙部１１Ｘへ排出する（図５の矢印Ｖｘ２参照）。そのため、読取完了原稿に対しては、直後に後処理を行うことができない。例えば、複数枚の原稿をステイプラで綴じ処理したものをスキャンまたはコピーする場合、綴じ処理したものからステイプラを外す必要がある。そして、ステイプラを外した複数枚の原稿をスキャン又はコピーした後、使用者が排紙部１１Ｘから原稿を取り出し、綴じ処理をする作業をして原稿を元の状態に戻す必要がある。
このようにスキャナ部１５Ｘと装置本体２０Ｘとが独立した構造であると、読取完了原稿を使用者が装置本体２０Ｘに移送する作業が必要となり、手間がかかる。
【００４４】
第１実施形態によれば、画像処理システム１は、ＡＤＦ１０と、スキャナ部１５と、装置本体２０と、搬送機構３０と、を持つ。ＡＤＦ１０は、原稿を送る。スキャナ部１５は、ＡＤＦ１０によって送られる原稿を読み取る。装置本体２０は、スキャナ部１５を支持する。搬送機構３０は、読取完了原稿を装置本体２０へ搬送する。以上の構成によって、以下の効果を奏する。
搬送機構３０により、読取完了原稿を装置本体２０へ自動的に搬送することができる。したがって、読取完了原稿を使用者が装置本体２０に移送する作業を省くことができる。
【００４５】
ＡＤＦ１０は、排出路Ｌ１と搬送路Ｌ２とを切り替える本体搬送用切替部１２を備える。排出路Ｌ１は、読取完了原稿を排紙部１１へ排出する経路である。搬送路Ｌ２は、読取完了原稿を装置本体２０へ搬送する経路である。以上の構成によって、以下の効果を奏する。
本体搬送用切替部１２の切替により、排出路Ｌ１および搬送路Ｌ２のそれぞれを形成することができるため、原稿の誤搬送を抑制することができる。例えば、読取完了原稿を排紙部１１へ排出するとき、原稿が誤って搬送路Ｌ２に向かうことを抑制することができる。一方、読取完了原稿を装置本体２０へ搬送するとき、原稿が誤って排出路Ｌ１に向かうことを抑制することができる。
【００４６】
画像処理システム１は、装置本体２０に設けられるＡＤＵ４０を更に備える。ＡＤＵ４０は、原稿の表裏を反転する。ＡＤＵ４０は、搬送路Ｌ２と反転路Ｌ５とを切り替える原稿反転用切替部４１を備える。搬送路Ｌ２は、読取完了原稿をそのまま装置本体２０へ搬送する経路である。反転路Ｌ５は、読取完了原稿を表裏反転して装置本体２０へ搬送する経路である。以上の構成によって、以下の効果を奏する。
複数枚の原稿を連続して搬送する場合、排出部６２において原稿の表裏の順序を保持することができる。加えて、複数枚の原稿に対する綴じ位置を、原稿の後端（原稿の搬送方向における上流端）に保持することができる。
【００４７】
画像処理システム１は、装置本体２０から搬送される対象物に後処理を行う後処理装置３を更に備える。搬送機構３０は、読取完了原稿を後処理装置３へ搬送する後処理用搬送部３２を備える。以上の構成によって、以下の効果を奏する。
後処理用搬送部３２により、読取完了原稿を後処理装置３へ自動的に搬送することができる。したがって、読取完了原稿に対し、直後に自動で後処理を行うことができる。すなわち、原稿に対して自動でフィニッシングが可能となる。実施形態によれば、ステイプラを外した複数枚の原稿をスキャン又はコピーした後、使用者が綴じ処理をする作業をして原稿を元の状態に戻す手間を要しない。
【００４８】
装置本体２０は、画像を定着する定着部２３を備える。後処理用搬送部３２は、定着部２３を通らない経路に沿って読取完了原稿を後処理装置３へ搬送する。以上の構成によって、以下の効果を奏する。
後処理用搬送部３２により、読取完了原稿を後処理装置３に向けてスムーズに搬送することができる。
【００４９】
画像処理システム１は、原稿排出モードと後処理モードとを選択可能とする表示を行うコントロールパネル４５を更に備える。原稿排出モードは、読取完了原稿を排紙部１１へ排出するモードである。後処理モードは、読取完了原稿を後処理装置３へ搬送するモードである。以上の構成によって、以下の効果を奏する。
コントロールパネル４５に各モードが表示されることにより、必要に応じて、読取完了原稿を後処理装置３へ自動的に搬送することができる。
【００５０】
次に、第２実施形態について説明する。
装置本体２０は、画像を定着する定着部２３を備えることに限らない。
図６は、第２実施形態の画像処理システム１０１を示す正面図である。
図６に示すように、装置本体２０は、消色トナーを消色する加熱部１２３（消色部）を備える。加熱部１２３は、定着部および消色部を兼ねる。以下、加熱部１２３を「消色部１２３」ともいう。
【００５１】
消色トナーは、外的刺激によって消色する特性をもつ。「消色」とは、用紙の下地の色とは異なる色（有彩色のみならず白色および黒色等の無彩色を含む）で形成された画像を視覚的に見えなくすることを意味する。例えば、外的刺激とは、温度、特定波長の光、圧力である。本実施形態において、消色トナーは特定の消色温度以上に達すると消色する。消色トナーは、消色した後に特定の復元温度以下に達すると発色する。
【００５２】
本実施形態の画像処理装置１０２は、以下に示す３つのモードで印刷を実行する。
・モノクロトナーモード：非消色の黒単色のトナーで画像を形成する。
・カラートナーモード：非消色のモノクロトナー及びカラートナーで画像を形成する。
・消色トナーモード：消色トナーのみで画像を形成する。
いずれのモードで画像形成を行うかは、使用者がコントロールパネル４５を操作することによって選択可能である。
【００５３】
消色トナーの定着温度は、非消色トナー（通常のトナー）の定着温度に比べて低い。ここで、消色トナーの定着温度は、消色トナーモード時のヒートローラ２８の温度を意味する。非消色トナーの定着温度は、モノクロトナーモード時又はカラートナーモード時のヒートローラ２８の温度を意味する。
消色トナーの定着温度は、消色トナーの消色処理の温度に比べて低い。ここで、消色トナーの消色処理の温度は、消色モード時のヒートローラ２８の温度を意味する。
【００５４】
画像処理装置１０２は、読取完了原稿を消色部１２３へ搬送する消色用搬送部１７０を備える。消色用搬送部１７０は、ＡＤＵ４０から装置本体２０に搬送された原稿を消色部１２３へ搬送する。消色用搬送部１７０は、消色用搬送路Ｌ１０２を形成する複数（図では２つ）の搬送ローラ対１７１Ａ，１７１Ｂを備える。各搬送ローラ対１７１Ａ，１７１Ｂは、互いに対向する２つの搬送ローラを備える。例えば、２つの搬送ローラは、駆動ローラおよび従動ローラである。駆動ローラは、不図示のモータで回転駆動される。従動ローラは、駆動ローラの回転に従って回転（従動回転）する。
【００５５】
消色用搬送路Ｌ１０２は、搬送路Ｌ１０１および排出用搬送路Ｌ１０３のそれぞれに連なる。原稿の搬送方向において、消色用搬送路Ｌ１０２の上流端は、搬送路Ｌ１０１の下流端に接続される。原稿の搬送方向において、消色用搬送路Ｌ１０２の下流端は、排出用搬送路Ｌ１０３の上流端に接続される。図６において符号１３１Ａ〜１３１Ｆは、本実施形態の搬送機構１３０を構成する複数（図では６つ）の搬送ローラ対をそれぞれ示す。複数の搬送ローラ対１３１Ａ〜１３１Ｆは、ＡＤＦ１０からＡＤＵ４０を経由して装置本体２０に延びる搬送路Ｌ１０１を形成する。
【００５６】
画像形成システム１０１は、排出用搬送路Ｌ１０３と給紙用搬送路Ｌ１０４とを切り替える消色原稿排路切替部１７５を更に備えてもよい。排出用搬送路Ｌ１０３は、消色部１２３で消色された原稿を排出部６２へ搬送する経路である。給紙用搬送路Ｌ１０４は、消色部１２３で消色された原稿を給紙部２４へ搬送する経路である。給紙用搬送路Ｌ１０４および消色原稿排路切替部１７５は、装置本体２０の内部に配置される。
【００５７】
図６において、符号１７６Ａ〜１７６Ｃは複数（図では３つ）の給紙用ローラ対をそれぞれ示す。給紙用搬送路Ｌ１０４は、複数の給紙用ローラ対１７６Ａ〜１７６Ｃにより形成される。複数の給紙用ローラ対１７６Ａ〜１７６Ｃは、給紙トレイ２５Ａ〜２５Ｄを避けた位置に配置される。例えば、複数の給紙トレイ２５Ａ〜２５Ｄのうち最下段は、消色部１２３で消色された原稿を収容するトレイとして機能する。
【００５８】
例えば、画像処理制御部５０は、原稿排出モードと消色モードとを切り替え制御する。ここで、原稿排出モードは、読取完了原稿を排紙部１１へ排出するモードである。消色モードは、読取完了原稿を消色部１２３へ搬送するモードである。
【００５９】
コントロールパネル４５は、原稿排出モードと消色モードとを選択可能とする表示を行う。例えば、コントロールパネル４５は、原稿排出モードと消色モードとを選択可能なモード選択部４６（操作部）としてボタンを表示する。使用者がモード選択時に「原稿排出モード」を選択してボタンに触れることによって、画像処理制御部５０は、読取完了原稿を排紙部１１へそのまま排出させる。一方、使用者がモード選択時に「消色モード」を選択してボタンに触れることによって、画像処理制御部５０は、読取完了原稿を消色部１２３へ搬送させる。
【００６０】
例えば、コントロールパネル４５は、消色モードの選択時、排紙用搬送モードと給紙用搬送モードとを選択可能なモード選択部４６（操作部）としてボタンを表示する。使用者がモード選択時に「排紙用搬送モード」を選択してボタンに触れることによって、画像処理制御部５０は、消色部１２３で消色された原稿を排出部６２へ排紙させる。一方、使用者がモード選択時に「給紙用搬送モード」を選択してボタンに触れることによって、画像処理制御部５０は、消色部１２３で消色された原稿を給紙部２４へ排紙させる。
【００６１】
次に、搬送路の切替制御について説明する。
画像処理制御部５０は、使用者に選択されたモードに合わせて搬送路を切り替える。
画像処理制御部５０は、原稿排出モードの選択時、搬送路Ｌ１０１の上流端部と交差する位置に本体搬送用切替部１２を設定する。画像処理制御部５０は、原稿排出モードの選択時、本体搬送用切替部１２に排出路Ｌ１を形成させる。これにより、ＡＤＦ載置原稿は、排出路Ｌ１に沿って排紙部１１に排出される（図６の矢印Ｖ１参照）。
【００６２】
画像処理制御部５０は、消色モードの選択時、搬送路Ｌ１０１の上流端部を避けた位置に本体搬送用切替部１２を設定する。画像処理制御部５０は、消色モードの選択時、本体搬送用切替部１２に搬送路Ｌ１０１を形成させる。これにより、ＡＤＦ載置原稿は、スキャナ部１５で読み取られた後、搬送路Ｌ１０１に沿ってＡＤＵ４０に向けて搬送される（図６の矢印Ｖ１０１参照）。後処理モードの選択時、ＡＤＦ載置原稿は、排紙部１１には向かわない。
【００６３】
ＡＤＵ４０に搬送された原稿（読取完了原稿）は、消色用搬送路Ｌ１０２に進入する（図６の矢印Ｖ１０２）。消色用搬送路Ｌ１０２に進入した原稿は、消色部１２３の作用によって消色処理が施される。消色処理が施された原稿は、排出用搬送路Ｌ１０３に進入する（図６の矢印Ｖ１０３参照）。
【００６４】
画像処理制御部５０は、排紙用搬送モードの選択時、排出用搬送路Ｌ１０３を避けた位置に消色原稿排路切替部１７５を設定する。画像処理制御部５０は、排紙用搬送モードの選択時、消色原稿排路切替部１７５に排出用搬送路Ｌ１０３を形成させる。これにより、消色処理が施された原稿は、排出用搬送路Ｌ１０３を通過し、排出部６２へ排出される（図６の矢印Ｖ１０４参照）。排紙用搬送モードの選択時、消色処理が施された原稿は、給紙部２４には向かわない。
【００６５】
一方、画像処理制御部５０は、給紙用搬送モードの選択時、排出用搬送路Ｌ１０３と交差する位置に消色原稿排路切替部１７５を設定する。画像処理制御部５０は、給紙用搬送モードの選択時、消色原稿排路切替部１７５に給紙用搬送路Ｌ１０４を形成させる。消色原稿排路切替部１７５は、給紙用搬送モードの選択時、排出用搬送路Ｌ１０３において給紙用搬送路Ｌ１０４との接続位置よりも下流位置（図６の破線部の位置）に設定される。これにより、消色処理が施された原稿は、給紙用搬送路Ｌ１０４を通過し、給紙部２４へ排出される（図６の矢印Ｖ１０５参照）。
【００６６】
ところで、比較例の画像形成システム１Ｘ（図５参照）は、本実施形態の消色用搬送部１７０（搬送機構１３０）を有しない。例えば、比較例は、消色機能を有するＭＦＰ（以下「消色ＭＦＰ」という。）である。消色ＭＦＰは、消色トナーで印刷された原稿（以下「消色トナー原稿」という。）を収容する消色用トレイを備える。消色用トレイは、消色ＭＦＰの装置本体に配置される。例えば、消色トナー原稿をスキャンまたはコピーする場合、消色トナー原稿を再利用するには、使用者が排紙部から消色トナー原稿を取り出し、装置本体の消色用トレイに収容する作業が必要となる。
【００６７】
第２実施形態によれば、装置本体２０は、消色トナーを消色する消色部１２３を備える。画像処理システム１０１は、読取完了原稿を消色部１２３へ搬送する消色用搬送部１７０を更に備える。以上の構成によって、以下の効果を奏する。
消色用搬送部１７０により、読取完了原稿を消色部１２３へ自動的に搬送することができる。したがって、スキャナ部１５で読み取りが完了した消色トナー原稿に対し、直後に自動で消色処理を行うことができる。すなわち、スキャンした原稿をそのまま消色して印刷用紙に使用可能となる。本実施形態によれば、消色トナー原稿をスキャンまたはコピーする場合、消色トナー原稿を再利用するに際し、使用者が消色トナー原稿を装置本体２０の給紙トレイ２５Ａ〜２５Ｄに収容する手間を要しない。加えて、原稿を消色する前にスキャンするため、消色前にサーバ保存が可能となる。
【００６８】
画像形成システム１０１は、排出用搬送路Ｌ１０３と給紙用搬送路Ｌ１０４とを切り替える消色原稿排路切替部１７５を更に備える。排出用搬送路Ｌ１０３は、消色部１２３で消色された原稿を排紙部１１へ搬送する経路である。給紙用搬送路Ｌ１０４は、消色部１２３で消色された原稿を給紙部２４へ搬送する経路である。以上の構成によって、以下の効果を奏する。
消色原稿排路切替部１７５の切替により、排出用搬送路Ｌ１０３および給紙用排出路Ｌ１０４のそれぞれを形成することができるため、消色部１２３で消色された原稿を、排出部６２または給紙部２４に向けて選択的に搬送することができる。
【００６９】
給紙用搬送路Ｌ１０４および消色原稿排路切替部１７５は、装置本体２０の内部に配置されることによって、以下の効果を奏する。
給紙用搬送路Ｌ１０４および消色原稿排路切替部１７５が、装置本体２０の外部に配置される場合（例えば、後処理装置３の内部に配置される場合）と比較して、給紙用搬送路Ｌ１０４を短縮することができる。したがって、消色部１２３で消色された原稿を給紙部２４に向けてスムーズに搬送することができる。
【００７０】
装置本体２０は、定着部および消色部を兼ねる加熱部１２３を備えることに限らない。例えば、装置本体２０は、定着部および消色部を別個独立に備えてもよい。例えば、消色部は、定着部とは別に、消色用トレイの近傍に配置されてもよい。
【００７１】
次に、実施形態の第１変形例について説明する。
図７は、実施形態の第１変形例の画像処理システム２０１を示す正面図である。
図７に示すように、画像処理システム２０１は、第２実施形態の構成に加え、後処理兼消色用切替部２８０を更に備えてもよい。後処理兼消色用切替部２８０は、後処理用搬送路Ｌ２０２と消色用搬送路Ｌ２０３とを切り替える。後処理用搬送路Ｌ２０２は、読取完了原稿を後処理装置３へ搬送する経路である。消色用搬送路Ｌ２０３は、読取完了原稿を加熱部１２３（消色部）へ搬送する経路である。
【００７２】
コントロールパネル４５は、原稿排出モードと後処理モードと消色モードとを選択可能とする表示を行う。例えば、コントロールパネル４５は、（１）原稿排出モードと、（２）後処理モードと、（３）消色モードとを選択可能なモード選択部４６（操作部）としてボタンを表示する。
（１）使用者がモード選択時に「原稿排出モード」を選択してボタンに触れることによって、画像処理制御部５０は、読取完了原稿を排紙部１１へ排出させる。
（２）使用者がモード選択時に「後処理モード」を選択してボタンに触れることによって、画像処理制御部５０は、読取完了原稿を後処理装置３へ搬送させる。
（３）使用者がモード選択時に「消色モード」を選択してボタンに触れることによって、画像処理制御部５０は、読取完了原稿を消色部１２３へ搬送させる。
【００７３】
次に、搬送路の切替制御について説明する。
画像処理制御部５０は、使用者に選択されたモードに合わせて搬送路を切り替える。
画像処理制御部５０は、原稿排出モードの選択時、搬送路Ｌ２０１の上流端部と交差する位置に本体搬送用切替部１２を設定する。画像処理制御部５０は、原稿排出モードの選択時、本体搬送用切替部１２に排出路Ｌ１を形成させる。これにより、ＡＤＦ載置原稿は、排出路Ｌ１に沿って排紙部１１に排出される（図７の矢印Ｖ１参照）。
【００７４】
画像処理制御部５０は、後処理モードの選択時、搬送路Ｌ２０１を避けた位置に本体搬送用切替部１２を設定する。画像処理制御部５０は、後処理モードの選択時、本体搬送用切替部１２に搬送路Ｌ２０１を形成させる。これにより、ＡＤＦ載置原稿は、スキャナ部１５で読み取られた後、搬送路Ｌ２０１に沿ってＡＤＵ４０に向けて搬送される（図７の矢印Ｖ２０１参照）。後処理モードの選択時、ＡＤＦ載置原稿は、排紙部１１には向かわない。
【００７５】
画像処理制御部５０は、後処理モードの選択時、搬送路Ｌ２０１を避けた位置（図７の破線部の位置）に後処理兼消色用切替部２８０を設定する。画像処理制御部５０は、後処理モードの選択時、搬送路Ｌ２０１と後処理搬送路Ｌ２０２とで原稿の経路を形成させる。これにより、ＡＤＵ４０に搬送された原稿は、後処理搬送路Ｌ２０２に進入する（図７の矢印Ｖ２０２参照）。
【００７６】
後処理用搬送部３２は、消色部１２３を迂回して、後処理用搬送路Ｌ２０２に進入した原稿を、後処理装置３へ向けて搬送する。具体的に、後処理用搬送部３２は、消色部１２３を通らない経路（搬送路Ｌ２０２，Ｌ２０４）に沿って、後処理用搬送路Ｌ２０２に進入した原稿を、後処理装置３へ向けて搬送する（図７の矢印Ｖ２０３参照）。後処理用搬送路Ｌ２０２に進入した原稿は、消色用搬送路Ｌ２０３には向かわない。後処理装置３に搬送された原稿は、処理部６１の作用によって後処理（例えば綴じ処理）が施される。後処理が施された原稿は、排出部６２へ排出される。
【００７７】
画像処理制御部５０は、消色モードの選択時、搬送路Ｌ２０１を避けた位置に本体搬送用切替部１２を設定する。画像処理制御部５０は、消色モードの選択時、本体搬送用切替部１２に搬送路Ｌ２０１を形成させる。これにより、ＡＤＦ載置原稿は、スキャナ部１５で読み取られた後、搬送路Ｌ２０１に沿ってＡＤＵ４０に向けて搬送される（図７の矢印Ｖ２０１参照）。消色モードの選択時、ＡＤＦ載置原稿は、排紙部１１には向かわない。
【００７８】
画像処理制御部５０は、消色モードの選択時、消色用搬送路Ｌ２０３を避けた位置に後処理兼消色用切替部２８０を設定する。画像処理制御部５０は、消色モードの選択時、搬送路Ｌ２０１と消色用搬送路Ｌ２０３とで原稿の経路を形成させる。これにより、ＡＤＵ４０に搬送された原稿は、消色用搬送路Ｌ２０３に進入する（図７の矢印Ｖ２０４参照）。
【００７９】
消色用搬送路Ｌ２０３に進入した原稿は、消色部１２３の作用によって消色処理が施される。消色処理が施された原稿は、排出用搬送路Ｌ２０４に進入する（図７の矢印Ｖ２０５参照）。
【００８０】
画像処理制御部５０は、排紙用搬送モードの選択時、消色処理が施された原稿を、排出用搬送路Ｌ２０４を経て排出部６２へ排出させる。
一方、画像処理制御部５０は、給紙用搬送モードの選択時、消色処理が施された原稿を、給紙用搬送路Ｌ２０５を経て給紙部２４へ排出させる。
【００８１】
本変形例によれば、画像処理システム２０１は、後処理用搬送路Ｌ２０２と消色用搬送路Ｌ２０３とを切り替える後処理兼消色用切替部２８０を更に備える。後処理用搬送路Ｌ２０２は、読取完了原稿を後処理装置３へ搬送する経路である。消色用搬送路Ｌ２０３は、読取完了原稿を消色部１２３へ搬送する経路である。以上の構成によって、以下の効果を奏する。
後処置兼消色用切替部２８０の切替により、後処理用搬送路Ｌ２０２および消色用搬送路Ｌ２０３のそれぞれを形成することができるため、読取完了原稿を、後処理装置３または消色部１２３に向けて選択的に搬送することができる。
【００８２】
次に、実施形態の第２変形例について説明する。
画像処理システムは、原稿の表裏を反転するＡＤＵを備えることに限らない。
図８は、実施形態の第２変形例の画像処理システム３０１を示す正面図である。
図８に示すように、画像処理システム３０１は、ＡＤＵ４０（図１参照）を備えなくてもよい。本変形例の搬送機構３３０は、装置本体２０の内部に配置される。
【００８３】
図８において符号３３１Ａ〜３３１Ｃは、本変形例の搬送機構３３０を構成する複数（図では３つ）の搬送ローラ対をそれぞれ示す。複数の搬送ローラ対３３１Ａ〜３３１Ｃは、ＡＤＦ１０から装置本体２０に延びる搬送路Ｌ３０１を形成する。
【００８４】
本変形例によれば、原稿の表裏を反転するＡＤＵ４０を有しないため、装置構成の簡素化を図ることができる。
【００８５】
次に、実施形態の第３変形例について説明する。
画像処理システムは、装置本体から搬送される対象物に後処理を行う後処理装置を備えることに限らない。
図９は、実施形態の第３変形例の画像処理システム４０１を示す正面図である。
図９に示すように、画像処理システム４０１は、後処理装置３（図６参照）を備えなくてもよい。画像処理システム４０１は、ＡＤＦ１０、スキャナ部１５、消色部１２３を有する装置本体２０、および消色用搬送部１７０を有する搬送機構１３０を備える画像処理装置４０２（消色装置）であってもよい。本変形例の装置本体２０の内部には、給紙用搬送路Ｌ１０４および消色原稿排路切替部１７５が設けられない（図６参照）。
【００８６】
本変形例によれば、スキャナ部１５で読み取りが完了した消色トナー原稿に対し、直後に自動で消色処理を行うことができる画像処理装置４０２を提供することができる。加えて、後処理装置３を有しないため、装置構成の簡素化を図ることができる。加えて、給紙用搬送路Ｌ１０４および消色原稿排路切替部１７５を有しないため、装置構成のさらなる簡素化を図ることができる。
【００８７】
以上述べた少なくともひとつの実施形態の画像処理システムによれば、スキャナ部１５で読み取りが完了した原稿を使用者が装置本体２０に移送する作業を省くことができる。
【００８８】
上述した実施形態における画像処理システムの機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９０】
１，１０１，２０１，３０１，４０１…画像処理システム、３…後処理装置（後処理部）、１０…ＡＤＦ（原稿搬送部）、１１…排紙部、１２…本体搬送用切替部（第１切替部）、１５…スキャナ部（原稿読取部）、２０…装置本体、２３…定着部（加熱部）、２４…給紙部、３０，１３０，３３０…搬送機構、３２…後処理用搬送部、４０…ＡＤＵ（原稿反転部）、４１…原稿反転用切替部（第２切替部）、４５…コントロールパネル（表示部）、６２…排出部、１２３…加熱部（消色部）、１７０…消色用搬送部、１７５…消色原稿排路切替部、２８０…後処理兼消色用切替部、Ｌ１…排出路、Ｌ２…搬送路、Ｌ５…反転路、Ｌ１０３…排出用搬送路、Ｌ１０４…給紙用搬送路
【図１】
2020024287.tif 000003
【図２】
2020024287.tif 000004
【図３】
2020024287.tif 000005
【図４】
2020024287.tif 000006
【図５】
2020024287.tif 000007
【図６】
2020024287.tif 000008
【図７】
2020024287.tif 000009
【図８】
2020024287.tif 000010
【図９】
2020024287.tif 000011